(57)【要約】【課題】管路間隔が狭隘な個所においても管路の相互間隔を拡げることをせずに切断作業ができる管路切断冶具を提供する。【解決手段】管路切断冶具本体２を管路１に取り付け、管路１の外周面を巻くようにダイヤモンドワイヤーソー４を配置し、回転駆動プーリー６にセット後、ダイヤモンドワイヤーソー４の両端を接合する。張力調節ハンドルを回し、回転駆動プーリー６を移動させてダイヤモンドワイヤーソー４の張力を調整する。回転ハンドル９を手動で回すことにより、ダイヤモンドワイヤーソー４を管路１の外周面に接して走行させて管路１を切断する。【選択図】図１
2013107140.tif 000002
【特許請求の範囲】
【請求項１】
駆動装置により回転駆動される駆動プーリーと、
管路の外周面に巻くように配置され、前記管路と前記駆動プーリーとの間に掛け渡されたワイヤーソーと、
前記管路と前記駆動プーリーとの相互距離を調整して、前記ワイヤーソーの張力を調整する張力調整部と、を備え、
前記駆動装置により前記駆動プーリーを回転させて前記ワイヤーソーを循環走行させ、前記ワイヤーソーを前記管路の外周面に接して走行させて前記管路を切断することを特徴とする管路切断冶具。
【請求項２】
前記駆動プーリーは、複数からなる異なる外径のプーリーを選択的に取り付け可能となっており、異なる外径のプーリーを選択的に取り付けて、切断する管路の管径に応じて前記駆動プーリーの回転するトルクを調整可能としたことを特徴とする、請求項１に記載の管路切断冶具。
【請求項３】
前記張力調整部は、張力調整用ハンドルにより前記管路と前記駆動プーリーとの相互距離を調整して、前記ワイヤーソーの張力の緩みに応じて張力を調整可能としたことを特徴とする、請求項１に記載の管路切断冶具。
【発明の詳細な説明】
【技術分野】
【０００１】
本発明は、ケーブルが収容されている狭隘箇所の通信管路を切断する管路切断冶具に関する。
【背景技術】
【０００２】
橋梁添架等の通信管路を補修により切断する場合、管路内に収容されているケーブルを損傷させないため、専用の切管用適正工具（切管工具）により切断作業を実施している。その専用の切管工具の一般的な構造としては、切断する刃の部分が管路内のケーブルに達しないような構造となっており、個別にケーブルを防護せずに切断作業を実施している。
【０００３】
図５は、専用の切管工具で管路を切断しているときの他の管路との位置関係を説明する図である。専用の切管工具１０が使用可能な管路１の間隔は、工具により多少の差異があるが、図５に示すように、概ね３．５ｃｍ以上が必要である。そのため、管路１の間隔が３．５ｃｍ以下の場合は、専用の切管工具１０の使用が困難である。
【０００４】
このような場合、管路１の間隔が３．５ｃｍ以下の狭隘な個所に、図６に示すように、管の相互間にクサビ１６を打ち込み、管の相互間隔を拡げて専用の切管工具１０をセットして切断作業を実施している。
【０００５】
なお、特許文献１には、ケーブル収容管の外周面を巻くように取り回すことが可能なチェーンと、このチェーンの長さ方向に沿って設けられた多数の鋸歯状のカッターとを備えるケーブル収容管切断装置が開示されている。
【先行技術文献】
【特許文献】
【０００６】
【特許文献１】特開２０００−２６３３１６号公報
【発明の概要】
【発明が解決しようとする課題】
【０００７】
しかしながら、図７に示すように、橋梁添架管路の橋台１５の際等における管路間隔が狭隘な個所では、クサビ１６を打ち込んで管の相互間隔を拡げることが不可能であり、上述した専用の切管工具１０をセットできない場合がある。したがって、専用の切管工具の使用が困難なことから切断作業ができずに補修が実施されないことがある。
【０００８】
本発明は、このような問題点に鑑みてなされたものであり、本発明の目的は、管路間隔が狭隘な個所においても管路の相互間隔を拡げることをせずに切断作業ができる管路切断冶具を提供することにある。
【課題を解決するための手段】
【０００９】
上記目的を達成するため、本発明の管路切断冶具は、駆動装置により回転駆動される駆動プーリーと、管路の外周面に巻くように配置され、前記管路と前記駆動プーリーとの間に掛け渡されたワイヤーソーと、前記管路と前記駆動プーリーとの相互距離を調整して、前記ワイヤーソーの張力を調整する張力調整部と、を備え、前記駆動装置により前記駆動プーリーを回転させて前記ワイヤーソーを循環走行させ、前記ワイヤーソーを前記管路の外周面に接して走行させて前記管路を切断することを特徴とする。
【００１０】
前記駆動プーリーは、複数からなる異なる外径のプーリーを選択的に取り付け可能となっており、異なる外径のプーリーを選択的に取り付けて、切断する管路の管径に応じて前記駆動プーリーの回転するトルクを調整可能とすることが好ましい。
【００１１】
前記張力調整部は、張力調整用ハンドルにより前記管路と前記駆動プーリーとの相互距離を調整して、前記ワイヤーソーの張力の緩みに応じて張力を調整可能とすることが好ましい。
【発明の効果】
【００１２】
本発明は、管路間隔が狭隘な個所において専用の切管工具が使用できない場合でも、管路の相互間隔を拡げることをせずに補修のための切断作業が可能となる。
【００１３】
また、本発明は、切管工具が使用できないために不良設備、不安定設備が解消されないことに対して、安全な補修施工が可能となる。
【図面の簡単な説明】
【００１４】
【図１】本発明の実施の形態に係る管路切断治具の側面図である。
【図２】本発明の実施の形態に係る管路切断治具の正面図である。
【図３】ケーブル防護部材の切断対象位置への挿入方法を説明する図である。
【図４】管路を切断しているときの管路切断治具のイメージ図である。
【図５】専用の切管工具で管路を切断しているときの他の管路との位置関係を説明する図である。
【図６】管の相互間にクサビを打ち込んだときの状態を示す図である。
【図７】橋台際等では管の相互間隔を拡げられないことを示す図である。
【発明を実施するための形態】
【００１５】
本発明の実施の形態について図面を参照して説明する。本発明は、管路間隔が狭隘な個所において管路の所定位置を切断するために使用する管路切断冶具である。図１は、本発明の実施の形態に係る管路切断治具を、切断する管路に取り付けたときの、管路切断治具の側面図であり、図２は、管路切断治具の正面図である。
【００１６】
図１、２に示す管路切断治具は、管路切断冶具本体２と、管路切断冶具本体２を管路１に取り付ける冶具固定部３と、管路１を切断するためのダイヤモンドワイヤーソー４と、管路１の長手方向におけるダイヤモンドワイヤーソー４のずれを抑えるガイドプーリー５と、ダイヤモンドワイヤーソー４に駆動力を伝える回転駆動プーリー６と、切断対象となる管路１と回転駆動プーリー６との相互距離を調整することによりダイヤモンドワイヤーソー４の張力を調整する張力調整部７、回転駆動プーリー６を回転駆動させる回転ハンドル９（駆動装置）と、を備えている。
【００１７】
治具固定部３は、Ｕ字ボルトからなる。ダイヤモンドワイヤーソー４は、直径が、例えば４．１ｍｍのワイヤーにダイヤモンド砥粒を装着したものであり、管路１の外周面に巻くように配置され、管路１と回転駆動プーリー６との間に掛け渡されて、回転駆動プーリー６にセットされる。
【００１８】
ガイドプーリー５は、管路１の長手方向におけるダイヤモンドワイヤーソー４のずれを抑える目的のほか、ガイドプーリー５の取付け位置を変えることにより管路外周面の切削範囲の調節を可能にする。ガイドプーリー５の相互間隔を狭くすると管路１の切削範囲は大きくなり、反対に相互間隔を拡げると管路１の切削範囲は小さくなる。
【００１９】
回転駆動プーリー６は、複数からなる異なる外径のプーリーを選択的に取り付け可能であり、切断する管路１の管径に応じて、異なる外径の回転駆動プーリーを使用することで、回転駆動プーリーの回転するトルクの調整が可能である。張力調整部７には、回転駆動プーリー６を移動させて、管路１と回転駆動プーリー６との相互距離を調整して、ダイヤモンドワイヤーソー４の張力の緩みに応じて張力を調整するための張力調節ハンドル８が取り付けられている。
【００２０】
次に、本発明の実施の形態に係る管路切断治具を用いてケーブル収容管路を切断するときの動作について説明する。
【００２１】
まず、管路内にケーブルが収容されている場合は、切断に先立ち、切断対象位置へケーブル防護部材を挿入してケーブルを防護する。図３は、ケーブル防護部材の切断対象位置への挿入方法を説明する図である。ケーブル防護部材１１の管路切断位置１２への挿入は、専用の切管工具により管路切断が可能である管路間隔が標準の位置において管路１を切断、除去した後、その開口端部から行われる。ケーブル防護部材１１は、ケーブル１４を防護する円筒状の半割可能な構造を有しており、開口端部から挿入ロッド１３を連結して挿入される。挿入ロッド１３には、挿入位置を示す目盛が付加されており、この目盛りにより、管路切断位置１２が、開口端部または橋台１５の際の任意の位置であっても、管路切断位置１２にケーブル防護部材１１を挿入できる。
【００２２】
図４は、ケーブルが収容されている管路を切断しているときの管路切断治具のイメージ図である。管路切断位置にケーブル防護部材１１を挿入した後、管路切断冶具本体２を管路１に取り付け、管路１の外周面を巻くようにダイヤモンドワイヤーソー４を配置し、回転駆動プーリー６にセット後、ダイヤモンドワイヤーソー４の両端を接合する。張力調節ハンドルを回し、回転駆動プーリー６を移動させてダイヤモンドワイヤーソー４の張力を調整する。そして、回転ハンドル９を手動で回すことにより、回転駆動プーリー６を回転させてダイヤモンドワイヤーソー４を循環走行させ、ダイヤモンドワイヤーソー４を管路１の外周面に接して走行させて管路１を切削する。
【００２３】
切削が進むとダイヤモンドワイヤーソー４の張力が緩んでいくが、張力調節ハンドルによりダイヤモンドワイヤーソー４の張力を調節しながら切断作業を続ける。
【００２４】
なお、上述した実施の形態では、治具固定部２は、Ｕ字ボルトを用いているが、チェーンを用いて管路切断冶具本体２を管路１に取り付けるようにしてもよい。また、回転ハンドル９（駆動装置）は、手動により回転駆動プーリー６を回転させるほか、電動工具用のアタッチメントを接続できる構造とすることで、電動による切断作業も可能である。
【００２５】
上述したように、本発明の実施の形態に係る管路切断冶具は、ワイヤーソーを用いるため管路の間隔が狭隘な場所においても切断作業が可能となる。直径が４．１ｍｍのダイヤモンドワイヤーソーを用いた場合、管路の間隔が概ね０．５〜１．０ｃｍ以上あれば、切断可能である。
【００２６】
また、本発明の実施の形態に係る管路切断冶具は、手動駆動および電動駆動による切断が可能であり、切込み状況に応じた切断速度の調節が可能である。
【００２７】
また、本発明の実施の形態に係る管路切断冶具は、ワイヤーソーの長さ調節およびガイドプーリーの組合せにより任意の位置の切断が可能である。
【００２８】
また、従来の切管工具の刃（カッター）は、円形または鋸歯状のものが一般的であり、多数の関連取付け部品により構成されているが、本発明の実施の形態に係る管路切断冶具は、ワイヤーにダイヤモンド砥粒を装着した市販のダイヤモンドワイヤーソーであるため、装置構成がシンプルで、刃の交換を容易に行うことが可能である。
【符号の説明】
【００２９】
１  管路
２  管路切断治具本体
３  治具固定部
４  ダイヤモンドワイヤーソー
５  ガイドプーリー
６  回転駆動プーリー
７  張力調整部
８  張力調整ハンドル
９  回転ハンドル
１０  切管工具
１１  ケーブル防護部材
１２  管路切断位置
１３  挿入ロッド
１４  ケーブル
１５  橋台
１６  クサビ
【図１】
2013107140.tif 000003
【図２】
2013107140.tif 000004
【図３】
2013107140.tif 000005
【図４】
2013107140.tif 000006
【図５】
2013107140.tif 000007
【図６】
2013107140.tif 000008
【図７】
2013107140.tif 000009